(57)【要約】【課題】ストレート搬送後に排紙されたハードシートの取出し容易で、しかも、装置高さを抑えることのできるシート搬送装置を提供する。【解決手段】原稿テーブル５１と、シートＳを原稿テーブル５１上から搬入して読取動作位置Ｐｄ１を通過するよう折返しの原稿搬送経路５２を通して搬送し、原稿テーブル５１置台外の排紙領域に排紙する第１搬送部５０と、シートＳより高曲げ剛性となるハードシートを折返し搬送路５２の読取作業位置Ｐｄ１を通る平面に沿ったストレート搬送経路６１の一端側から搬入し、その搬送路に沿って搬送したハードシートを排紙領域側となるストレート搬送経路６１の他端側から排紙する第２搬送部６０とを備えたシート搬送装置であって、原稿テーブル５１が、第２搬送部６０から排紙されるハードシートの少なくとも排紙方向の先端部を通過させるハードシート排紙口６２を有している。【選択図】図１
2016088645.tif 000002
【特許請求の範囲】
【請求項１】
定型のシートを載置可能なシート載置台と、前記シートを前記シート載置台上から搬入するとともに、前記シートが特定作業位置を通過するように前記シートを折返し搬送路を通して搬送し、前記シート載置台外の排紙領域に排紙する第１搬送部と、前記シートより高曲げ剛性となるハードシートを前記折返し搬送路の前記特定作業位置を通る平面に沿ったストレート搬送経路の一端側から搬入し、該ストレート搬送経路に沿って搬送した前記ハードシートを前記排紙領域側となる前記ストレート搬送経路の他端側から排紙する第２搬送部と、を備えたシート搬送装置であって、前記シート載置台が、前記第２搬送部から排紙される前記ハードシートの少なくとも排紙方向の先端部を通過させるハードシート排紙口を有していることを特徴とするシート搬送装置。
【請求項２】
前記ハードシート排紙口が、前記ストレート搬送経路の排紙方向における前記平面の延長面と前記シート載置台のシート載置面との交差線方向で、前記シート載置台に載置される前記シートの最大サイズのシート幅よりも小さい開口幅を有していることを特徴とする請求項１に記載のシート搬送装置。
【請求項３】
排紙される前記シートまたは前記ハードシートを前記ハードシート排紙口から外れる方向に案内する第１のガイド位置と、排紙される前記ハードシートを前記ハードシート排紙口内に進入する方向に案内する第２のガイド位置とに移動可能な可動ガイド部材が設けられていることを特徴とする請求項１または２に記載のシート搬送装置。
【請求項４】
前記可動ガイド部材が、前記第１搬送部の作動時には前記ハードシート排紙口を閉塞する第１の回動位置で前記シート載置台上の前記シートを案内する一方、前記第２搬送部の作動時には前記ハードシート排紙口を開放する第２の回動位置で前記第２搬送部から排紙される前記ハードシートの前記排紙方向の先端部を案内する回動可能なシートガイドを構成していることを特徴とする請求項３に記載のシート搬送装置。
【請求項５】
前記可動ガイド部材が、前記シート載置台に支持されていることを特徴とする請求項３または４に記載のシート搬送装置。
【請求項６】
請求項１ないし５のいずれか一項に記載のシート搬送装置を備え、
前記特定作業位置にて、前記シートまたは前記ハードシート上の画像を読み取る画像読取り作業を実行することを特徴とする画像読取装置。
【請求項７】
請求項６に記載の画像読取装置を備え、
前記画像読取装置の読取り画像を基に外部に出力可能な画像を形成することを特徴とする画像形成装置。
【発明の詳細な説明】
【技術分野】
【０００１】
本発明は、シート搬送装置に関し、特に屈曲し難いシートを直進させるストレート搬送が可能な、画像読取用の原稿シート搬送に好適なシート搬送装置に関する。
【背景技術】
【０００２】
ドキュメントスキャナ等のシート搬送型の画像読取装置やそれを備えた複合機その他の多機能周辺機器においては、原稿シートを給紙から画像読取り、排紙まで、所定の搬送経路に沿って自動搬送するシート搬送装置が搭載されている。
【０００３】
このようなシート搬送装置では、シート搬送経路を直線化することで、多種類（厚み、大きさ、紙種等が異なる）の原稿を通紙でき、免許証やＩＤカード（身分証明書カード）等のように屈曲が困難な高曲げ剛性のハード原稿にも対応可能となる。
【０００４】
そこで、従来、屈曲可能な通常の原稿シートと屈曲が困難なハード原稿との双方に対し画像読取りを可能にしたシート搬送装置が提案されている。
【０００５】
例えば、自動原稿送り装置側に設けた表面側および裏面側の画像読取部を互いに小サイズハード原稿の搬送方向長さ以上に離間するように配置し、名刺や会員証等の小サイズのハード原稿を読取り可能にした画像形成装置が知られている（例えば、特許文献１参照）。
【０００６】
また、湾曲した搬送路を形成する搬送ガイド板に、小サイズハード原稿を装置の側方に排紙するよう通常の原稿シート幅より狭い範囲内でシート搬送方向と直交する方向に延びるスリット状の開口部を設けたものも知られている（例えば、特許文献２参照）。
【発明の概要】
【発明が解決しようとする課題】
【０００７】
しかしながら、上記従来のシート搬送装置は、小サイズハード原稿の搬送に支障がない程度にストレート搬送に近い搬送が可能であっても、ハード原稿の搬送経路が特許文献１、２の図６（ｂ）にそれぞれ示されるように略「く」の字形に屈曲したものであった。
【０００８】
そのため、片面側の画像読取位置が正規な読取高さから外れてしまい、照明および焦点深度の深い縮小光学系での読取方式を前提としてかろうじて成立し得ても、読取り画像の劣化が発生するものとなっていた。
【０００９】
また、このように屈曲した搬送路構成で読取デバイスにＣＩＳ（密着型イメージセンサ）を採用しようとすると、そのデバイス特性から焦点深度が非常に浅くならざるを得ないため、画像品質を満足できなくなるという問題があった。
【００１０】
さらに、従来のシート搬送装置では、通常の原稿シートを載置する原稿テーブルと画像読取後の原稿シートをスタックする排紙トレイとを設けることに加えて、小サイズハード原稿専用の排紙トレイを別に設けていた。そのため、通常原稿シートの排紙トレイがあるいは装置に隣接する隣接物が邪魔で小サイズハード原稿を取り出し難かったり、その取出しの容易化のために通常原稿シートの排紙トレイや原稿テーブルを高く配置する必要から、装置の高さが大きくなってしまうという問題があった。
【００１１】
これに対し、例えば通常の原稿シートを載置する原稿テーブルの下方に画像読取後の原稿シートを排紙する排紙トレイを配置し、そこに小サイズハード原稿をスタックさせることが考えられる。しかし、その場合にも、屈曲し難いカード等のハード原稿が原稿テーブルと接触して搬送不良に陥らないように、原稿テーブルをハード原稿の搬送経路から上下方向に離す必要があり、装置の高さが大きくなってしまうという問題があった。
【００１２】
そこで、本発明は、ストレート搬送後に排紙されたハードシートの取出し容易で、しかも、装置高さを抑えることのできるシート搬送装置を提供し、併せて、同搬送装置を備えた画像品質に優れた画像読取装置および画像形成装置を提供することを目的とする。
【課題を解決するための手段】
【００１３】
本発明に係るシート搬送装置は、上記目的達成のため、定型のシートを載置可能なシート載置台と、前記シートを前記シート載置台上から搬入するとともに、前記シートが特定作業位置を通過するように前記シートを折返し搬送路を通して搬送し、前記シート載置台外の排紙領域に排紙する第１搬送部と、前記シートより高曲げ剛性となるハードシートを前記折返し搬送路の前記特定作業位置を通る平面に沿ったストレート搬送経路の一端側から搬入し、該ストレート搬送経路に沿って搬送した前記ハードシートを前記排紙領域側となる前記ストレート搬送経路の他端側から排紙する第２搬送部と、を備えたシート搬送装置であって、前記シート載置台が、前記第２搬送部から排紙される前記ハードシートの少なくとも排紙方向の先端部を通過させるハードシート排紙口を有しているものである。
【００１４】
したがって、本発明では、第２搬送部から排紙されたハードシートの少なくとも排紙方向の先端部が、ハードシート排紙口を通過してシート載置台上に露出することになり、ストレート搬送経路およびシート載置台は、上下方向に離す必要がないものとなる。
【発明の効果】
【００１５】
本発明によれば、ストレート搬送が可能で装置高さを抑えることのできるシート搬送装置を提供することができ、併せて、同搬送装置を備えた作業性および画像品質に優れた画像読取装置および画像形成装置を提供することができる。
【図面の簡単な説明】
【００１６】
【図１】本発明の第１の実施の形態に係るシート搬送装置を備えた画像形成装置の要部概略構成図である。
【図２】本発明の第１の実施の形態に係る画像形成装置の一部断面を含む概略構成図である。
【図３】本発明の第１の実施の形態に係る画像形成装置の上面図である。
【図４】本発明の第１の実施の形態に係る画像形成装置の本体側の画像読取ユニットの読取りモード切替え動作の説明図で、（Ａ）はその固定原稿読取りモード時を、（Ｂ）はその読取りモード切替え時を、（Ｃ）はその移動原稿読取りモード時を示している。
【図５】本発明の第１の実施の形態に係るシート搬送装置を備えた画像形成装置で通常原稿シートを読み取った場合の排紙状態の説明図である。
【図６】本発明の第１の実施の形態に係るシート搬送装置を備えた画像形成装置でカード型の小サイズハード原稿を読み取った場合の排紙状態の説明図である。
【図７】本発明の第２の実施の形態に係るシート搬送装置を備えた画像形成装置で通常原稿シートを読み取った場合の排紙状態の説明図である。
【図８】本発明の第２の実施の形態に係るシート搬送装置を備えた画像形成装置でカード型の小サイズハード原稿を読み取った場合の排紙状態の説明図である。
【図９】本発明の第２の実施の形態に係る画像形成装置の上面図である。
【発明を実施するための形態】
【００１７】
以下、本発明の好ましい実施形態について、図面を参照しつつ説明する。
【００１８】
（第１実施形態）
図１ないし図６は、本発明に係るシート搬送装置と同装置を備えた画像読取装置および画像形成装置との第１の実施の形態を示している。
【００１９】
まず、本実施形態の構成について説明する。
【００２０】
本実施形態は、本発明のシート搬送装置を電子写真方式やインクジェット記録方式等といった任意の方式のデジタル複合機（画像形成装置）の自動原稿搬送装置に適用したものである。
【００２１】
デジタル複合機１は、複写機、プリンタ、ファクシミリ装置、スキャナ等の機能を併有しており、読取り画像データ等の入力データを基にフルカラー画像やモノクロ画像を転写紙に記録出力したり所定のデータ形式で出力したりすることができる。ただし、本発明のシート搬送装置を備えた画像読取装置および画像形成装置は、移動原稿に対する画像読取機能を発揮できるものであればよい。
【００２２】
図１および図２に示すように、デジタル複合機１は、給紙部２、画像形成部３および画像読取部４を有する装置本体１Ｍと、装置本体１Ｍ上に配置されたシート搬送装置であるＡＤＦ５（自動原稿搬送装置）とを備えている。画像読取部４およびＡＤＦ５は、画像読取装置６を構成している。
【００２３】
給紙部２は、例えばそれぞれカットシート状の記録紙を収納する複数段の給紙カセットと、それらのうち任意の給紙カセットから記録紙をピックアップして給紙する複数組の給紙ローラ組とを有している。また、給紙部２は、給紙ローラ組のいずれかから給紙された記録紙を画像形成部３の所定の画像形成位置まで搬送する各種ローラ等を含む給紙経路を有している。
【００２４】
画像形成部３は、例えば露光ユニットと、複数の感光体ドラムと、シアン（Ｃ）、マゼンタ（Ｍ）、イエロー（Ｙ）、ブラック（Ｋ）の４色のトナーを用いる現像装置と、転写ベルト、二次転写部および定着部等とを備えている。
【００２５】
この画像形成部３は、画像読取装置６で読み取った読取画像に基づき、例えば露光ユニットにより各色の感光体ドラムを露光して各感光体ドラム上に静電潜像を形成し、現像装置の各色の現像ユニットで各感光体ドラムの潜像上にトナーを供給して現像する。また、画像形成部３は、各色の感光体ドラム上のトナー像を転写ベルトに一次転写し、二次転写部で記録紙上に重ねて二次転写した後、定着部により記録紙上のトナー像を加熱および加圧して定着させ、カラー画像を形成することができるようになっている。
【００２６】
画像読取装置６は、自動搬送中に原稿画像を読み取るＤＦスキャナモード（搬送原稿読取りモード）と、平坦なコンタクトガラス上に載置された原稿の画像を読み取るフラットベッドスキャナモード（載置原稿読取りモード）とに切替え可能に構成されている。
【００２７】
フラットベッドスキャナモードにおいて、画像読取部４は、フラットベッドコンタクトガラス４１上の原稿（例えば原稿シート、厚紙、本等）の画像面に光を照射して、その画像面からの反射光を画像信号に変換することにより原稿画像を読み取ることができる。
【００２８】
また、ＤＦスキャナモードにおいて、ＡＤＦ５は、シート載置台である原稿テーブル５１上に積載された原稿シート束から原稿シートを１枚ずつ分離して原稿搬送経路５２内に搬入し、原稿搬送経路５２に沿って搬送する。そして、その搬送中、原稿シートが、その搬送方向の上流側部分から順次部分的に画像読取部４の上面側のＤＦコンタクトガラス４２に対面するようになっている。すなわち、画像読取装置６は、ＡＤＦ５により搬送される原稿シート上の画像を画像読取部４のＤＦコンタクトガラス４２上で順次読取りすることにより、ＤＦスキャナの機能を発揮できるようになっている。
【００２９】
なお、ＡＤＦ５は、装置本体１Ｍの上面側の後部（背面側の部分）に図示しないヒンジ等の開閉機構を介して取り付けられている。そして、ＡＤＦ５は、装置本体１Ｍに対してフラットベッドコンタクトガラス４１上を開放する開位置と、フラットベッドコンタクトガラス４１上の原稿を押付け可能な閉位置とを採り得るようになっている。
【００３０】
図３に示すように、原稿テーブル５１は、ＡＤＦ５にセットされた原稿シートＳをその給紙方向と直交するシート幅方向で位置決めする左右一対の可動のサイドガイド板５４が装着されている。これらサイドガイド板５４は、原稿テーブル５１と原稿シートＳの幅方向の中心を一致させるように相対的に接近・離間可能である。ただし、サイドガイド板５４は、原稿テーブル５１の一方の縁部側に原稿シートＳの一方の縁部を当接させて他方の縁部側のみを移動可能に配置したものでもよい。
【００３１】
ＡＤＦ５は、少なくともその上方を開閉可能としたカバー５５によって覆われている。カバー５５は、原稿シートＳの先端がそのカバー内に入るように原稿テーブル５１の給紙側の端部付近の上方に給紙口５５ａを形成している。また、カバー５５は、給紙口５５ａよりも内部に原稿テーブル５１の先端部分が収納されるように、原稿テーブル５１の先端部分の上方を覆っている。また、ＡＤＦ５は、給紙口５５ａから排出口５６までの原稿搬送経路５２の搬送通路を形成する主要なガイド部分を、カバー５５等に形成されたリブ等によって形成している。
【００３２】
フラットベッドコンタクトガラス４１は、画像読取装置６がフラットベッドスキャナとして機能する場合であって読取対象の原稿シートが載置されるとき、その原稿シート（以下、第１の原稿ともいう）の画像面に対面するようになっている。また、ＤＦコンタクトガラス４２は、画像読取装置６がＤＦスキャナとして機能する場合に、原稿搬送経路５２の所定読取り位置を通過する原稿シート（以下、第２の原稿ともいう）の画像面に対面するようになっている。さらに、ＤＦコンタクトガラス４２は、フラットベッドコンタクトガラス４１に対して予め設定された傾斜角θをなすよう傾斜している。
【００３３】
画像読取部４の内部には、第１読取ユニット４５（読取ユニット）と、図４中の左右方向に延びるガイドロッド４６とが設けられている。
【００３４】
第１読取ユニット４５は、一体型光学走査ユニット４７と、一体型光学走査ユニット４７を保持するブラケット４８と、一体型光学走査ユニット４７およびブラケット４８の間に圧縮状態で組み込まれた複数の圧縮コイルばね４９（弾性部材）とで構成されている。
【００３５】
一体型光学走査ユニット４７は、例えばモールドフレームに、等倍結像素子ルーフミラーレンズアレイ、光路分離ミラー、等倍イメージセンサ、照明光源等を保持させた密着イメージセンサとして構成されている。この一体型光学走査ユニット４７は、画像を主走査方向に高解像でライン走査することができ、ブック原稿等の画像読取りにも対応可能な大きな焦点深度を有するように構成されている。なお、一体型光学走査ユニット４７は、ＤＦスキャナとフラットベットスキャナに対応できる構成であれば、特定の方式に限定されるものではない。主走査方向は、フラットベッドコンタクトガラス４１の上面およびＤＦコンタクトガラス４２の上面の双方に対して平行な方向である。
【００３６】
ブラケット４８は、ガイドロッド４６に支持された下側スライダ部４８ａと、一体型光学走査ユニット４７を保持する一対の保持腕部４８ｂと、これら下側スライダ部４８ａおよび一対の保持腕部４８ｂを一体に装着したブラケット本体部４８ｄとを有している。ここで、下側スライダ部４８ａは、ブラケット本体部４８ｄの長手方向中央の下部に固定された筒状体からなり、一対の保持腕部４８ｂは、ブラケット本体部４８ｄの両端側で図中上方側に突出する一対の板状体によって構成されている。これら一対の保持腕部４８ｂは、一体型光学走査ユニット４７の両端面から垂直に突出する両端突出部４７ａを長手方向軸線回りに姿勢変化可能におよび上下方向に変位可能に保持するよう、垂直方向の長穴（小判穴）４８ｃを有している。
【００３７】
複数の圧縮コイルばね４９は、一体型光学走査ユニット４７の下面部分を主走査方向の複数箇所で上方側（フラットベッドコンタクトガラス４１側、ＤＦコンタクトガラス４２側）に押し付けるようになっている。
【００３８】
また、一体型光学走査ユニット４７の上部には、フラットベッドコンタクトガラス４１およびＤＦコンタクトガラス４２のうち少なくとも一方の下面に当接しつつ副走査方向に円滑に滑り動く矩形環状の上部スライダ部４７ｂが装着されている。なお、この上部スライダ部４７ｂは、一体型光学走査ユニット４７の長手方向または短手方向に延在するとともに、その延在方向と直交する方向で互いに離間する突起状のものであってもよい。また、上部スライダ部４７ｂは、複数の半球状の突起等で構成されてもよい。いずれの場合も、上部スライダ部４７ｂは、フラットベッドコンタクトガラス４１およびＤＦコンタクトガラス４２の下面かそれに代わるガイド面に対し、低摩擦係数で摺動性・滑動性が良く、無潤滑にできる素材で形成されるのがよい。
【００３９】
一体型光学走査ユニット４７は、また、ブラケット４８の下方側に配置されたガイドロッド４６によって副走査方向に移動自在に案内されている。そして、その副走査方向の位置に応じて、一体型光学走査ユニット４７は、その上部でフラットベッドコンタクトガラス４１およびＤＦコンタクトガラス４２のうちいずれか片方または両方にスライド可能に当接する。これにより、第１読取ユニット４５は、ガイドロッド４６に沿って移動自在であるものの、ガイドロッド４６の軸回りの傾きを規制される。
【００４０】
この第１読取ユニット４５は、フラットベッドコンタクトガラス４１上の原稿の画像面を主走査方向にライン走査するとともに副走査方向に移動することで、原稿の画像を読み取ることができる。また、第１読取ユニット４５は、ＤＦコンタクトガラス４２上を通過する搬送原稿の画像を主走査方向にライン走査することで、原稿の画像を読み取ることができる。
【００４１】
なお、詳細は図示しないが、画像読取部４の内部には、無端のループ状でその周方向の一箇所に第１読取ユニット４５のブラケット４８が固定されたタイミングベルトが設けられている。また、画像読取部４の内部には、タイミングベルトが弛みなく掛け渡された複数のタイミングプーリと、いずれか１つのタイミングプーリを回転駆動するモータ等が設けられている。
【００４２】
フラットベットスキャナモードの読取動作を行う場合、第１読取ユニット４５は、ホームポジションから副走査方向一方側に移動しながら、例えば図１に実線で示す停止位置付近のホームポジションから同図中の右側に移動する。そして、その微小移動距離毎に一体型光学走査ユニット４７によるライン走査を実行して、フラットベッドコンタクトガラス４１上の載置原稿の表面（下面）の画像を読み取る。また、その読取動作が終了すると、第１読取ユニット４５は、再度ホームポジションに戻る。
【００４３】
ＤＦスキャナモードの読取動作を行う場合、第１読取ユニット４５は、図２に実線で示すように、ホームポジションからＤＦコンタクトガラス４２の下方に移動する。すなわち、第１読取ユニット４５は、ホームポジションから予め設定された距離だけ副走査方向他方側に移動してＤＦコンタクトガラス４２の下方で停止し、ＤＦコンタクトガラス４２上を通過する搬送原稿の表面の画像を読み取る。
【００４４】
第１読取ユニット４５は、このように、フラットベッドコンタクトガラス４１の下方側とＤＦコンタクトガラス４２の下方側とに位置し得るよう副走査方向に移動可能である。そして、一体型光学走査ユニット４７は、その副走査方向位置に応じて、フラットベッドコンタクトガラス４１を通して画像読取り可能な水平の第１読取姿勢と、ＤＦコンタクトガラス４２を通して画像読取り可能な傾斜した第２読取姿勢とに姿勢変化する。
【００４５】
ＡＤＦ５は、定型のシートを載置可能な原稿載置台としての原稿テーブル５１と、原稿シートを画像読取り可能に搬送する原稿搬送経路５２と、画像読取り後の原稿シートをスタックする排紙トレイ５３とを備えている。原稿テーブル５１と排紙トレイ５３とは、小型化を目的として、少なくともそれらの一部が離間する状態で上下に重ねて配置されている。
【００４６】
図５に示すように、このＡＤＦ５は、原稿テーブル５１に載置されたシート束から最上位の原稿シートＳを１枚ずつ分離して反転搬送可能に折り返された原稿搬送経路５２内に搬入する分離ユニット５２ａを有している。また、ＡＤＦ５は、分離・搬入された原稿シートＳを折り返すように反転させ、ＤＦコンタクトガラス４２にそってその上面の所定の読取動作位置Ｐｄ１（特定作業位置）を通過するように、原稿シートＳを原稿搬送経路５２を通して搬送する。原稿搬送経路５２は、そのような搬送のための複数の搬送ローラ５２ｂ、５２ｃ、５２ｄを有しており、それらより下流側に排紙ローラ対５２ｅ、５２ｆを有している。なお、これら搬送および排紙用のローラ群の配置数や配置場所は、原稿搬送経路５２の経路設定条件や、原稿シートＳの最小サイズの原稿搬送方向の長さ等に応じて任意に設定可能である。
【００４７】
第１読取ユニット４５は、一体型光学走査ユニット４７が図２の実線位置に位置するとき、搬送中の原稿シートＳの画像を一体型光学走査ユニット４７により読取動作位置Ｐｄ１で繰り返しライン走査して、原稿画像を読み取ることができる。そして、その画像読取り後の原稿シートＳは、排紙ローラ対５２ｅ、５２ｆにより排紙トレイ５３に排出される。
【００４８】
これら分離ユニット５２ａ、複数の搬送ローラ５２ｂ、５２ｃ、５２ｄおよび排紙ローラ対５２ｅ、５２ｆは、原稿搬送経路５２上に配置された複数のセンサやそれらの検知情報を基に搬送制御を実行するコントローラと共に、第１搬送部５０を構成している。よって、この第１搬送部５０は、原稿シートＳを原稿テーブル５１上から搬入するとともに、原稿シートＳが読取動作位置Ｐｄ１を通過するように折返し搬送し、原稿テーブル５１外の排紙領域である排紙トレイ５３上のスタック領域内に排紙する。複数のセンサとは、例えば公知の給紙適正位置センサ、突当センサ、原稿幅センサ、読取入口センサ、レジストセンサ、排出センサ等であり、それらのセンサが原稿シートＳの搬送方向上流側から下流側に順に配置される。勿論、通常の原稿シートＳは、ＰＰＣその他の屈曲の容易なシートで、画像記録面を形成し得るものである。
【００４９】
原稿搬送経路５２は、ＤＦコンタクトガラス４２の上流側の搬送ローラ５２ｃ、５２ｄのニップ位置から排出口５６に至る下流側の所定搬送区間において、ＤＦコンタクトガラス４２に沿って傾斜しつつ延在するストレート搬送経路６１の主要部を構成している。
【００５０】
図６に示すように、ストレート搬送経路６１は、通常の原稿シートＳより高曲げ剛性となるハードシート、特に小サイズのハードシートＨを、ＤＦコンタクトガラス４２の上面と平行をなすように傾斜した平面に沿って搬送する。また、ストレート搬送経路６１内を搬送されるとき、ハードシートＨは、ＤＦコンタクトガラス４２上において、所定の読取動作位置Ｐｄ１を通過するようになっている。
【００５１】
ここにいう小サイズのハードシートＨは、樹脂等（厚紙でもよい）で形成された標準定型サイズのカード類、例えば免許証、ＩＤカード（身分証明書カード）、交通系カード等である。よって、ここでの小サイズとは、例えば身分証明書カードの形状を定めた国際規格であるＩＳＯ/ＩＥＣ ７８１０のＩＤ−１、ＩＤ−２またはＩＤ−３のいずれか、またはそれと同程度のカードサイズである。ただし、そのカードサイズの短手方向の幅は、原稿テーブル５１上にセットされる標準のカットシートサイズのうち最小サイズのカットシートの短手方向の幅よりも小さくなるように設定される。
【００５２】
ストレート搬送経路６１の複数の搬送ローラ５２ｃ、５２ｄおよび排紙ローラ対５２ｅ、５２ｆは、ストレート搬送経路６１上に配置された複数のセンサおよびそれらの検知情報を基に搬送制御を実行するコントローラと共に、第２搬送部６０を構成している。よって、この第２搬送部６０は、ストレート搬送経路６１の一端側から小サイズのハードシートＨを搬入し、ストレート搬送経路６１に沿って搬送したハードシートＨを排紙領域側となるストレート搬送経路６１の他端側から排紙する。
【００５３】
一方、シート載置台である原稿テーブル５１には、図１に破線矢印で示すストレート搬送経路６１の排紙基準面６１ｃと交わる特定部位付近に、小サイズのハードシートＨの少なくとも排紙方向の先端部を通過させるハードシート排紙口６２を有している。
【００５４】
ここにいうストレート搬送経路６１の排紙基準面６１ｃは、所定の読取動作位置Ｐｄ１を通るとともにＤＦコンタクトガラス４２の上面と平行をなすように傾斜した平面である。
【００５５】
ハードシート排紙口６２は、排紙基準面６１ｃに相当する平面の延長面と原稿テーブル５１のシート載置面５１ａとの交差線方向で、原稿テーブル５１に載置可能な少なくとも最大サイズの原稿シートＳの幅よりも小さい開口幅Ｗｏ（図３参照）を有している。
【００５６】
この開口幅Ｗｏは、例えば原稿テーブル５１上にセット可能な複数種の定型カットシートのうち最小サイズの原稿シートＳの短手方向の幅以下であって、標準定型サイズのカード等のうち最大サイズのカードを縦方向に排紙できる幅値に設定されている。すなわち、シート幅方向のハードシート排紙口６２の開口幅Ｗｏは、ハードシートＨとして使用される標準定型サイズのカード類のうち最大サイズのものを通し得る幅であり、ここでは、通常の紙製の定型のカットシートのうち最小のサイズ以下に設定されている。
【００５７】
原稿テーブル５１には、ハードシート排紙口６２を開閉可能な蓋状のシートガイド部材６３（可動ガイド部材）が装着されている。
【００５８】
シートガイド部材６３は、原稿テーブル５１からの原稿給紙方向の前方側（図１中の左側）に、原稿テーブル５１に軸回り回動自在に支持された支持軸部６３ａを有している。また、シートガイド部材６３は、自重により図１中の第１の回動位置Ｐ１（第１のガイド位置）側に常時付勢され、その先端部６３ｂをハードシート排紙口６２を形成する原稿テーブル５１の開口内周縁部５１ｂに当接させることで、第１の回動位置Ｐ１をとる。すなわち、シートガイド部材６３は、第１の回動位置Ｐ１と図１中に仮想線で示す第２の回動位置Ｐ２とに回動（回転方向に移動）可能な可動ガイド部材となっている。
【００５９】
このシートガイド部材６３は、第１搬送部５０の作動時にはハードシート排紙口６２を閉塞する第１の回動位置Ｐ１（図１中の部分拡大図中に実線で示す位置）で、その上下両面側にシートガイド面６３ｃ、６３ｄを形成する板形状または櫛形をなしている。
【００６０】
そして、シートガイド部材６３は、第１の回動位置Ｐ１をとるとき、その上面側のシートガイド面６３ｃで原稿テーブル５１上の原稿シートＳの特定幅領域を原稿テーブル５１のシート載置面５１ａと共に案内することができる。また、シートガイド部材６３は、第１の回動位置Ｐ１をとるとき、排紙ローラ対５２ｅ、５２ｆにより排出口５６から排出される通常の原稿シートＳを、その下面側のシートガイド面６３ｄにより排紙トレイ５３側に案内することができる。すなわち、シートガイド部材６３は、第１の回動位置Ｐ１にあるとき、排紙される原稿シートＳまたは比較的屈曲し易い場合のハードシートＨを、ハードシート排紙口６２から外れる方向に案内することができる。
【００６１】
なお、原稿テーブル５１の下面側であって原稿幅方向におけるハードシート排紙口６２の両側には、シートガイド部材６３の下面側にシートガイド面６３ｄと協働するシートガイド面５１ｇが形成されている。
【００６２】
一方、シートガイド部材６３は、排出口５６から小サイズのハードシートＨが排出されるとき、ハードシート排紙口６２を開放する第２の回動位置Ｐ２（第２のガイド位置）をとることができるようになっている。
【００６３】
具体的には、排紙ローラ対５２ｅ、５２ｆによりハードシートＨが排紙されるとき、原稿搬送経路５２の下流端部分（ガイド等）に案内されたハードシートＨによりシートガイド部材６３が押し上げられ、ハードシート排紙口６２が開放される（図２参照）。そして、第２の回動位置Ｐ２のシートガイド部材６３は、ストレート搬送経路６１から排出されるハードシートＨの排紙方向の先端部を、下面側のシートガイド面６３ｄにより図２に示す排紙中の傾斜姿勢から図６に示す排紙完了後の傾斜姿勢になるまで案内する。すなわち、シートガイド部材６３は、第２の回動位置Ｐ２にあるとき、排紙される高曲げ剛性のハードシートＨをハードシート排紙口６２内に進入する方向に案内することができる。
【００６４】
なお、シートガイド部材６３を第１の回動位置Ｐ１と第２の回動位置Ｐ２とに回動可能にする手段としては、シートガイド部材６３の自重のみに限らず、例えばシートガイド部材６３と原稿テーブル５１との間にばね等の弾性部材を用いてもよい。すなわち、その弾性部材によりシートガイド部材６３を常時ハードシート排紙口６２を閉塞する閉蓋方向に軽く付勢するようにしてもよい。この場合、ストレート搬送経路６１から高曲げ剛性のハードシートＨが排紙されるとき、そのハードシートＨが弾性部材の付勢力に抗してシートガイド部材６３を開蓋方向に回動させる。よって、その高曲げ剛性のハードシートＨが、ハードシート排紙口６２を開いて原稿テーブル５１上に少なくとも先端部を露出させることになる。
【００６５】
シートガイド部材６３は、ハードシートＨが排紙方向と逆の方向に戻るのを規制し易い角度および位置で設置するとともに、ハードシートＨとの当接面に適当な摩擦係数を設定するのがよい。このようにすると、原稿の排紙後すぐに排紙駆動モータを逆転させるような場合でも、ストレート搬送経路６１に比較的屈曲し易い原稿シートが手差しされるような場合に、その原稿シートが排紙ローラ対５２ｅ、５２ｆ側に巻き込まれるのを防止することができる。
【００６６】
排紙駆動モータを逆転させるような場合とは、例えば排紙ローラ対５２ｅ、５２ｆを駆動する排紙駆動モータを、原稿テーブル５１上の通常原稿束から原稿シートＳをピックアップするピックアップローラの駆動や昇降等に併用する場合である。この場合、排紙後すぐにピックアップローラをホームポジションに戻すために、排紙駆動モータを駆動することが考えられる。
【００６７】
ストレート搬送経路６１の上流端側には、カード供給口７１を有するカード供給部７０が設けられている。
【００６８】
カード供給部７０は、例えばカード供給口７１を開閉可能な回動式のカード供給トレイ７３（図２参照）と、カードピックアップローラ７４（図６参照）と、小サイズハードシートＨとなるカード類の搬送をガイドするカード搬送路７５とを有している。
【００６９】
カード供給トレイ７３は、常時は閉じていてＡＤＦ５のカバー５５の側壁面の一部を構成し、図２に示すように、カード供給口７１を開放する開放位置に停止可能となっている。
【００７０】
カードピックアップローラ７４は、カード供給トレイ７３にセットされた、または手差しされたハードシートＨをストレート搬送経路６１内に搬入することができる。
【００７１】
カード搬送路７５は、カード供給口７１からＤＦコンタクトガラス４２側の搬送ローラ５２ｃ、５２ｄのニップ部までの搬送経であり、ＤＦコンタクトガラス４２の上流側で原稿搬送経路５２に合流する。
【００７２】
このカード搬送路７５の搬送基準面は、ストレート搬送経路６１の搬送基準面６１ｃと同一平面上に位置している。
【００７３】
これにより、カード搬送路７５は、ストレート搬送経路６１の上流側にこれと同一基準面を持つ通路を形成しており、ストレート搬送経路６１は、ＤＦコンタクトガラス４２と平行にカード供給口７１から排出口５６まで平坦に延びるカード搬送路となっている。
【００７４】
ストレート搬送経路６１の途中であって第１読取ユニット４５による一面側の所定の読取動作位置Ｐｄ１より下流側には、ストレート搬送経路６１の上方側のガイド面の一部を構成する第２読取ユニット６９が設けられている。
【００７５】
第２読取ユニット６９は、原稿シートＳまたは小サイズのハードシートＨのうち任意の一方の表面画像を第１読取ユニット４５で読み取った後、その原稿シートＳまたは小サイズのハードシートＨの裏面画像を読み取る裏面側読取ユニットとなっている。
【００７６】
この第２読取ユニット６９は、第１読取ユニット４５の一体型光学走査ユニット４７と略同様に構成されており、主走査方向に延びる裏面側走査領域を有している。これにより、第２読取ユニット６９は、その裏面側走査領域を通過するように副走査方向に搬送される原稿シートＳまたは小サイズのハードシートＨの裏面から画像を読み取ることができるようになっている。
【００７７】
裏面画像の読み取りを行わない場合には、原稿シートＳやや小サイズのハードシートＨが第２読取ユニット６９の読取り位置を素通りし、第２読取ユニット６９はストレート搬送経路６１を形成するガイドの一部としてのみ機能する。
【００７８】
なお、ストレート搬送経路６１の下方側であって第２読取ユニット６９に対向する位置に、原稿シートＳや小サイズのハードシートＨの浮きを抑える第２読取ローラを設けることができる。また、その第２読取ローラに、光源ムラやセンサ感度ムラ等の出力バラツキを補正するシェーディング補正用の白基準面を形成することもできる。
【００７９】
このように、本実施形態のデジタル複合機１では、通常の原稿シートＳが原稿テーブル５１上に載置されると、第１搬送部５０によってその最上位の原稿シートＳが原稿搬送経路５２を通して搬送され、第１読取ユニット４５により表面側の画像を読み取られる。また、両面画像読取りが要求された場合には、第２読取ユニット６９によって原稿シートＳの裏面画像が読み取られる。一方、カード等のハードシートＨがカード供給トレイ７３にセットされるか手差しされると、ハードシートＨがストレート搬送経路６１を通して搬送されつつ、その表面のまたは両面の画像が読み取られる。
【００８０】
次に、本実施形態のデジタル複合機１の動作について説明する。
【００８１】
デジタル複合機１の停止時には、第１読取ユニット４５は、例えば図１に示すホームポジションＰａに停止している。
【００８２】
原稿テーブル５１上に原稿シートＳがセットされると、この原稿シートＳが原稿検知または／およびサイズ検知用のセンサによって検知され、ＡＤＦ５がＤＦスキャナモードで動作可能な状態となる。このとき、第１読取ユニット４５が、ホームポジションＰａからＤＦコンタクトガラス４２の下方のＤＦ原稿読取位置Ｐｂに移動して、第２読取姿勢で停止する。
【００８３】
次いで、原稿画像の読取り開始を指示するスイッチ操作入力がなされると、ＡＤＦ５の搬送駆動モータやセンサ類等が作動する。そして、原稿シートＳが原稿搬送経路５２内に搬入されて搬送され、その原稿搬送状態に応じて、ＤＦコンタクトガラス４２上を通過する原稿シートＳの表面画像が読み取られる。
【００８４】
また、予めの原稿搬送条件として、両面原稿が指定され、両面画像読取りが要求されている場合には、第１読取ユニット４５による表面画像読取りと併せて、第２読取ユニット６９による原稿シートＳの裏面画像読取りが実行される。すなわち、いわゆる１パス両面同時読取りが実行される。
【００８５】
画像読取り後の原稿シートＳが排紙ローラ対５２ｅ、５２ｆによって排紙されるとき、通常の原稿シートＳは、屈曲性の良いＰＰＣ等であるから、その先端側から原稿テーブル５１および蓋状のシートガイド部材６３によって排紙トレイ５３側に案内される。
【００８６】
このようなＤＦスキャナモードでの搬送動作は、原稿テーブル５１上にセットされた通常の原稿シートＳがすべて排紙されるまで繰り返し実行される。そして、ＤＦスキャナモードでの搬送動作が終了すると、第１読取ユニット４５は再度ホームポジションに戻る。
【００８７】
なお、原稿シートＳがフラットベッドコンタクトガラス４１上に載置された状態で、原稿画像の読取り開始を指示するスイッチ操作入力がなされる場合には、フラットベッドスキャナモードでの動作が実行される。すなわち、スイッチ操作入力に応じて、第１読取ユニット４５がホームポジションＰａからフラットベッドコンタクトガラス４１の下方に移動し、その微小移動距離毎に一体型光学走査ユニット４７によるライン走査を実行して、原稿シートＳの表面画像を読み取る。そして、そのフラットベッドスキャナ動作が終了すると、第１読取ユニット４５が再度ホームポジションＰａに戻る。
【００８８】
一方、カード供給トレイ７３が図２に示すように開放位置に回動操作され、カード供給トレイ７３上にハードシートＨがセットされると、それがハード原稿検知センサに検知され、ＡＤＦ５がハードシートＨに対応するＤＦスキャナモードで動作可能となる。
【００８９】
このとき、第１読取ユニット４５は、ホームポジションＰａからＤＦコンタクトガラス４２の下方のＤＦ原稿読取位置Ｐｂに移動して、第２読取姿勢で停止する。
【００９０】
次いで、ハードシートＨの画像の読取り開始を指示するスイッチ操作入力がなされると、ＡＤＦ５の搬送駆動モータやセンサ類等が作動し、ハードシートＨがストレート搬送経路６１内に搬入されて直進搬送される。そして、その原稿搬送状態に応じて、ＤＦコンタクトガラス４２上を通過するハードシートＨの表面画像が読み取られる。
【００９１】
また、予めの原稿搬送条件として、両面画像読取りが要求されている場合には、第１読取ユニット４５による表面画像読取りと併せて、第２読取ユニット６９によるハードシートＨの裏面画像読取りが実行される。すなわち、１パス両面同時読取りが実行される。
【００９２】
画像読取りが完了したハードシートＨは、排紙ローラ対５２ｅ、５２ｆによって排出口５６から排紙トレイ５３側に排紙される。
【００９３】
このとき、ハードシートＨが十分に曲げ剛性が大きい樹脂製カード類等であれば、図２に示すように、排紙ローラ対５２ｅ、５２ｆにより排紙方向に搬送されるハードシートＨが、シートガイド部材６３を押し上げてハードシート排紙口６２を開放させる。
【００９４】
このとき、シートガイド部材６３は、第２の回動位置Ｐ２にて、第２搬送部６０のストレート搬送経路６１から排出されるハードシートＨの排紙方向の先端部を、下面側で図２に示す排紙中の傾斜姿勢から図６に示す排紙完了後の傾斜姿勢まで案内する。
【００９５】
一方、排紙原稿が十分に曲げ剛性の大きいカード類でなければ、図５に示すように、排紙ローラ対５２ｅ、５２ｆにより排紙原稿は、通常の原稿シートＳと略同様にシートガイド部材６３を押し上げることなく、排紙トレイ５３側に排紙される。
【００９６】
このようなハードシート対応のＤＦスキャナモードでの搬送動作は、カード供給トレイ７３上にセットされたハードシートＨがすべて排紙されるまで、あるいは、カード供給トレイ７３が開放されている間、繰り返し実行される。そして、このＤＦスキャナモードでの搬送動作が終了すると、第１読取ユニット４５は再度ホームポジションに戻る。
【００９７】
上述のように、本実施形態においては、原稿テーブル５１が、第２搬送部６０から排紙されるハードシートＨの少なくとも排紙方向の先端部を通過させるハードシート排紙口６２を有している。したがって、排紙されたハードシートＨの少なくとも排紙方向の先端部が、ハードシート排紙口６２を通過して原稿テーブル５１上に露出することになり、ストレート搬送経路６１および原稿テーブル５１を上下方向に離す必要がない。
【００９８】
その結果、ストレート搬送が可能で装置高さを抑えることのできる画像読取装置６（シート搬送装置）を提供することができ、併せて、画像読取装置６を備えた作業性および画像品質に優れたデジタル複合機１を提供することができる。
【００９９】
また、本実施形態では、ハードシート排紙口６２が、ストレート搬送経路６１の排紙基準面の排紙方向への延長面と原稿テーブル５１のシート載置面５１ａとの交差線方向で、最小サイズのシート幅よりも小さい開口幅Ｗｏを有している。したがって、左右一対の可動のサイドガイド板５４が最小サイズの原稿シートＳの短手方向幅に対応する位置に位置している状態であっても、ハードシートＨがサイドガイド板５４に干渉することなく、確実に排紙可能となる。
【０１００】
勿論、サイドガイド板５４側に内側壁面がハードシート排紙口６２から隔たるように適当な逃げ溝等の凹部を有するようにして、開口幅Ｗｏを拡大することは可能である。
【０１０１】
さらに、本実施形態では、原稿テーブル５１にハードシート排紙口６２を開閉可能な蓋状のシートガイド部材６３が装着されているので、原稿テーブル５１上の原稿シートＳや排紙される原稿シートＳを的確に所定の排紙方向に案内することができる。
【０１０２】
特に、シートガイド部材６３が排紙されるハードシートＨの先端部背面を案内したり押さえたりする回動式となっているので、排紙ローラ対５２ｅ、５２ｆが排紙動作直後に逆転するような場合であっても、原稿シートＳ等の巻き込みを有効に抑制できる。
【０１０３】
加えて、本実施形態では、シートガイド部材６３が、第１搬送部５０の作動時には第１の回動位置Ｐ１で原稿テーブル５１上の原稿シートＳを案内する一方、第２搬送部６０の作動時には第２の回動位置Ｐ２で排紙されるハードシートＨの排紙方向の先端部を案内する。したがって、ＡＤＦ５の搬送モードにかかわらず、良好な原稿搬送動作が可能となる。
【０１０４】
（第２の実施の形態）
図７ないし図９は、本発明の第２の実施の形態を示している。
【０１０５】
なお、本実施の形態は、第１の実施の形態と略同様な全体構成を有するので、同一または類似する構成については、第１の実施の形態における対応する構成要素の符号を用いることとし、以下、第１の実施の形態との相違点について説明する。
【０１０６】
本実施の形態のデジタル複合機１は、画像読取装置６を構成するＡＤＦ５の一部が、第１の実施の形態と相違する。
【０１０７】
すなわち、第１の実施の形態では、ハードシート排紙口６２を開閉可能な蓋状のシートガイド部材６３が、原稿テーブル５１に装着されていた。
【０１０８】
これに対し、本実施形態では、ハードシート排紙口６２を実質的に開閉可能なシートガイド部材８３が、ＡＤＦ５の排出口５６の近傍でカバー５５に対し軸回りに回動自在な状態で支持された支持軸部８３ａを有している。
【０１０９】
このシートガイド部材８３は、図７に示す第１の回動位置Ｐ１と、図８に示す第２の回動位置Ｐ２とに回動可能な可動ガイド部材となっている。
【０１１０】
そして、シートガイド部材８３は、第１の回動位置Ｐ１にあるとき、排紙される原稿シートＳまたは比較的屈曲し易いカードサイズの排紙原稿をハードシート排紙口６２から外れる方向に案内して、排紙トレイ５３上にスタックさせる。
【０１１１】
また、シートガイド部材８３は、第２の回動位置Ｐ２にあるとき、排紙される十分に高曲げ剛性のハードシートＨによって上方に押し上げられ、高曲げ剛性のハードシートＨをハードシート排紙口６２内に進入する方向に案内するようになっている。
【０１１２】
このシートガイド部材８３は、板形状または櫛形をなしている。
【０１１３】
シートガイド部材８３は、第１の回動位置Ｐ１をとるとき、原稿テーブル５１上の原稿シートＳを案内する機能を有しないが、通常の原稿シートＳを排紙トレイ５３側に的確に案内できる。
【０１１４】
ハードシート排紙口６２は、常時開放された幅方向に延びるスリット状をなすが、軽い回動式の蓋部材が自重でハードシート排紙口６２を閉じ、ハードシートＨによって原稿テーブル５１の上方側に回動するように設けられてもよい。
【０１１５】
本実施形態においても、原稿テーブル５１が、第２搬送部６０から排紙されるハードシートＨの少なくとも排紙方向の先端部を通過させるハードシート排紙口６２を有している。したがって、排紙されたハードシートＨの少なくとも排紙方向の先端部が、ハードシート排紙口６２を通過して原稿テーブル５１上に露出することになり、ストレート搬送経路６１および原稿テーブル５１を上下方向に離す必要がない。その結果、ストレート搬送が可能で装置高さを抑えることのできる画像読取装置６を提供することができ、併せて、画像読取装置６を備えた作業性および画像品質に優れたデジタル複合機１を提供することができる。
【０１１６】
さらに、本実施形態では、シートガイド部材８３が、第１の回動位置Ｐ１と第２の回動位置Ｐ２とに回動可能であるので、ハードシートＨが高曲げ剛性である場合にその先端部を原稿テーブル５１上に確実に露出させるように排紙させることができる。
【０１１７】
なお、上述の各実施の形態において、シートガイド部材６３、８３は、排紙されるハードシートＨによって回動操作される回動式であったが、排紙されるハードシートの先端部によって容易に開方向に駆動され得るスライド式のものであってもよい。その場合も、ハードシートＨの先端部背面を案内したり押さえたりするのが容易な形状とするのがよい。
【０１１８】
また、可動ガイド部材をシートガイドとしての第１、第２の回動位置Ｐ１、Ｐ２（第１、第２のガイド位置）に回動させる手段は、自重や軽いばね等の付勢手段に限らず、アクチュエータを用いてシートガイドとしての蓋状部材を回動させるものであってもよい。
【０１１９】
その場合、例えばストレート搬送経路６１からハードシートＨが排紙される直前か、ストレート搬送経路６１内にハードシートＨが搬入されるときに、アクチュエータを作動させる。そして、そのアクチュエータにより、シートガイド部材６３を第２の回動位置Ｐ２に回動させて、ハードシート排紙口６２を開放させる。また、原稿テーブル５１上に少なくとも先端部が突出するように露出したハードシートＨが取り出されたとき、後続のハードシートＨが無ければ、アクチュエータを用いてシートガイド部材６３を第１の回動位置Ｐ１に回動させることができる。
【０１２０】
さらに、上述の各実施形態では、所定の読取り動作位置Ｐｄ１が原稿シートＳまたはハードシートＨ上の表面画像を読み取る画像読取り作業を実行する特定作業位置となっていた。しかし、本発明のシート搬送装置においては、特定作業位置が画像読取り動作以外の特定の作業を行うものであってもよい。
【０１２１】
以上説明したように、本発明は、ストレート搬送が可能で装置高さを抑えることのできるシート搬送装置を提供することができ、併せて、同搬送装置を備えた作業性および画像品質に優れた画像読取装置および画像形成装置を提供することができるものである。かかる本発明は、屈曲し難いシートを直進させるストレート搬送が可能な、画像読取用の原稿シート搬送に好適なシート搬送装置全般に有用である。
【符号の説明】
【０１２２】
１  デジタル複合機（画像形成装置）
１Ｍ  装置本体
２  給紙部
３  画像形成部
４  画像読取部
５  ＡＤＦ（自動原稿搬送装置）
６  画像読取装置
４１  フラットベッドコンタクトガラス
４２  ＤＦコンタクトガラス
４３  スケール部
４５  第１読取ユニット
４６  ガイドロッド
４７  一体型光学走査ユニット
４７ａ  両端突出部
４７ｂ  上部スライダ部
４８  ブラケット
４８ａ  下側スライダ部
４８ｂ  保持腕部
４８ｃ  長穴（小判穴）
４８ｄ  ブラケット本体部
５１  原稿テーブル（シート載置台）
５１ａ  シート載置面
５１ｂ  開口内周縁部
５１ｇ  シートガイド面
５２  原稿搬送経路
５２ａ  分離ユニット
５２ｂ、５２ｃ、５２ｄ  搬送ローラ（複数の搬送ローラ）
５２ｅ、５２ｆ  排紙ローラ対
５３  排紙トレイ
５４  サイドガイド板
５５  カバー
５５ａ  給紙口
５６  排紙口
６１  ストレート搬送経路
６１ｃ  排紙基準面
６２  ハードシート排紙口
６３、８３  シートガイド部材
６３ａ、８３ａ  支持軸部
６３ｃ  シートガイド面（上面側のシートガイド面）
６３ｄ  シートガイド面（下面側のシートガイド面）
６９  第２読取ユニット
７０  カード供給部
７１  カード供給口
７３  カード供給トレイ
７４  カードピックアップローラ
７５  カード搬送路
Ｈ  ハードシート（小サイズのハード原稿、カード類）
Ｐ１  第１の回動位置（第１のガイド位置）
Ｐ２  第２の回動位置（第２のガイド位置）
Ｐｄ１  読取動作位置（特定作業位置）
Ｗｏ  開口幅
【先行技術文献】
【特許文献】
【０１２３】
【特許文献１】特開２０１１−８６９８８号公報
【特許文献２】特開２０１１−４６５１５号公報
【図１】
2016088645.tif 000003
【図２】
2016088645.tif 000004
【図３】
2016088645.tif 000005
【図４】
2016088645.tif 000006
【図５】
2016088645.tif 000007
【図６】
2016088645.tif 000008
【図７】
2016088645.tif 000009
【図８】
2016088645.tif 000010
【図９】
2016088645.tif 000011